(57)【要約】【課題】  構成部材同士が連結されて振動に強く、角度位置の自由な調整が可能であり、さらに水が溜まることのない石材構造物を提供する。【解決手段】  複数の石製の構成部材を積み重ねたものであって、上下に隣接する構成部材のうち、下側の構成部材１２の上面１２ａに凸部１が形成されており、上側の構成部材１１の下面１１ａに凹部２が形成されており、凸部１は、下側の構成部材１２の上面１２ａから上向きに延びる首部３と、首部３の上端に設けられた略円板形状の鍔部４とを有し、鍔部４の一部を切り欠いた切欠部５が形成されており、凹部２は、円形で鍔部４と略同径であり、周縁部下端から中心方向に向けて、切欠部５と略同形状の爪部６が延出しており、凹部２に凸部１を嵌め込み、上側の構成部材１１を円形の凹部２の中心軸周りに回転させることで、爪部６が鍔部４に係合して、上側の構成部材１１と下側の構成部材１２とが連結される。【選択図】      図１
2011032813.tif 000002
【特許請求の範囲】
【請求項１】
複数の石製の構成部材を積み重ねたものであって、上下に隣接する前記構成部材のうち、下側の構成部材（１２）の上面（１２ａ）に凸部（１）が形成されており、上側の構成部材（１１）の下面（１１ａ）に凹部（２）が形成されており、
前記凸部（１）は、下側の構成部材（１２）の上面（１２ａ）から上向きに延びる首部（３）と、前記首部（３）の上端に設けられた略円板形状の鍔部（４）とを有し、前記鍔部（４）の一部を切り欠いた切欠部（５）が形成されており、
前記凹部（２）は、円形で前記鍔部（４）と略同径であり、周縁部下端から中心方向に向けて、前記切欠部（５）と略同形状の爪部（６）が延出しており、
前記凹部（２）に前記凸部（１）を嵌め込み、上側の構成部材（１１）を円形の凹部（２）の中心軸周りに回転させることで、前記爪部（６）が前記鍔部（４）に係合して、上側の構成部材（１１）と下側の構成部材（１２）とが連結されることを特徴とする石材構造物。
【発明の詳細な説明】
【技術分野】
【０００１】
本発明は、複数の石製の構成部材を積み重ねた石材構造物に関する。
【背景技術】
【０００２】
墓、灯篭、石碑や石像など、複数の石製の構成部材を積み重ねた石材構造物において、単に構成部材を積み重ねるだけでは地震の際に倒壊してしまうおそれがある。そこで、文献１において、積み石の上面に凸部を、下面に凹部を形成し、凸部を凹部に嵌合させた墓石が提案されている。また、文献２において、上方の構成部材の下部にほぞを、下方の構成部材の上部にほぞ穴を形成し、ほぞをほぞ穴に挿入して回転させると、一定角度位置でその回転が停止し抜け止めされる石材製モニュメントが提案されている。
【先行技術文献】
【特許文献】
【０００３】
【特許文献１】特開平７−４８９５８号公報
【特許文献２】実用新案登録第３１１９５４５号公報
【発明の概要】
【発明が解決しようとする課題】
【０００４】
しかしながら、文献１の発明は、凸部と凹部を嵌め合わせただけであり、構成部材を積み重ねただけのものよりは振動に対して強いものの、ある程度以上大きな振動には耐えられないと考えられる。また、文献２の発明は、ほぞをほぞ穴に嵌め合わせることで抜け止めされて構成部材同士が連結されるため、振動には強いが、回転が停止される一定の角度位置で抜け止めされる構成なので、角度位置を自由に調節することはできない。さらに、下方の構成部材の上部にほぞ穴が形成されているので、構成部材同士の当接面から水が浸入してほぞ穴に溜まってしまうおそれがある。
【０００５】
本発明は、上記事情を鑑みたものであり、構成部材同士が連結されて振動に強く、角度位置の自由な調整が可能であり、さらに水が溜まることのない石材構造物を提供することを目的とする。
【課題を解決するための手段】
【０００６】
本発明は、複数の石製の構成部材を積み重ねたものであって、上下に隣接する前記構成部材のうち、下側の構成部材の上面に凸部が形成されており、上側の構成部材の下面に凹部が形成されており、前記凸部は、下側の構成部材の上面から上向きに延びる首部と、前記首部の上端に設けられた略円板形状の鍔部とを有し、前記鍔部の一部を切り欠いた切欠部が形成されており、前記凹部は、円形で前記鍔部と略同径であり、周縁部下端から中心方向に向けて、前記切欠部と略同形状の爪部が延出しており、前記凹部に前記凸部を嵌め込み、上側の構成部材を円形の凹部の中心軸周りに回転させることで、前記爪部が前記鍔部に係合して、上側の構成部材と下側の構成部材とが連結されることを特徴とする。
【発明の効果】
【０００７】
本発明によれば、上側の構成部材と下側の構成部材とが連結されており、振動に対して強く、地震の際にも倒壊するおそれが少なく安全である。また、切欠部と爪部とが一致する角度位置以外であれば、爪部が鍔部に係合するから、下側の構成部材に対して上側の構成部材の角度位置を自由に調節することができる。さらに、下側の構成部材の上面には凸部が形成されているから、構成部材同士の当接面から水が浸入したとしても、水が溜まることがない。
【図面の簡単な説明】
【０００８】
【図１】（ａ）は本発明の石材構造物の縦断面図、（ｂ）はＡ−Ａ線断面図、（ｃ）はＢ−Ｂ線断面図。
【図２】（ａ）は凸部の斜視図、（ｂ）は凹部の斜視図。
【図３】図１のＣ−Ｃ線断面図であり、（ａ）は凹部に凸部を嵌め込んだ直後の状態、（ｂ）は４５度回転させた状態、（ｃ）は９０度回転させた状態を示す。
【発明を実施するための形態】
【０００９】
以下、本発明の実施の形態を図面に基づいて説明する。なお、本発明の石材構造物には、墓、灯篭、石碑や石像など種々のものが含まれるが、ここでは墓の場合の例を示す。この墓は、図１（ａ）に示すように、上から竿石１１、蓮華１２、上台１３、下台１４、蓋石１５、カロート１６及び根駄石１７が積み重ねられた、一般的な構成のものである。これらの構成部材のうち、蓮華１２、上台１３、下台１４及び蓋石１５の上面には凸部１が形成されており、竿石１１、蓮華１２、上台１３及び下台１４の下面には凹部２が形成されている。そして、蓮華１２の凸部１と竿石１１の凹部２、上台１３の凸部１と蓮華１２の凹部２、下台１４の凸部１と上台１３の凹部２、蓋石１５の凸部１と下台１４の凹部２がそれぞれ嵌合している。それぞれの凸部１及び凹部２は同様の構成であるから、以下においては蓮華（下側の構成部材）１２の凸部１と竿石（上側の構成部材）１１の凹部２について説明する。
【００１０】
図１及び図２（ａ）に示すように、凸部１は、下側の構成部材１２の上面１２ａに形成されており、上面１２ａから上向きに延びる円柱形状の首部３と、首部３の上端に設けられた略円板形状の鍔部４とを有する。鍔部４の直径は首部３の直径より大きく、中心に対して対称な二箇所の位置に長方形状の切欠部５が形成されている。一方、図１及び図２（ｂ）に示すように、凹部２は、上側の構成部材１１の下面１１ａに形成されており、円形で鍔部４と略同径であり、その周縁部下端（図２（ｂ）は上下反転した状態である）から中心方向に向けて爪部６が延出している。爪部６は、切欠部５と略同形状の長方形状である。
【００１１】
このように形成した上側の構成部材１１と下側の構成部材１２とを連結させる際には、まず、上側の構成部材１１の凹部２に下側の構成部材１２の凸部１を嵌め込み（図３（ａ））、上側の構成部材１１の下面１１ａと下側の構成部材１２の上面１２ａとを当接させる。続いて上側の構成部材１１を垂直軸回りに回転させれば（図３（ｂ）〜（ｃ））、凹部２の爪部６が凸部１の鍔部４に係合して、上側の構成部材１１と下側の構成部材１２とが連結される。
【００１２】
他の構成部材同士も同様に連結できるので、竿石１１、蓮華１２、上台１３、下台１４及び蓋石１５が一体となり、振動に対して強く、地震の際にも倒壊するおそれが少なく安全である。また、切欠部５と爪部６とが一致する角度位置以外であれば、爪部６が鍔部４に係合するから（たとえば、図３（ｂ）は上側の構成部材１１を４５度回転させた状態であり、図３（ｃ）は上側の構成部材１１を９０度回転させた状態であるが、いずれも爪部６が鍔部４に係合して、上側の構成部材１１と下側の構成部材１２とが連結されている）、下側の構成部材１２に対して上側の構成部材１１の角度位置を自由に調節することができる。さらに、下側の構成部材１２の上面１２ａには凸部１が形成されているから、構成部材同士の当接面から水が浸入したとしても、水が溜まることがない。
【００１３】
なお、実施例の墓において、カロート１６は納骨室１６ａを取り囲む形状で、いずれかの側面に扉（図示省略）を備える。カロート１６の上面にはその長手方向に沿って突条２１が形成されており、蓋石１５の下面には溝２２が形成されており、溝２２に突条２１が嵌め込んである。また、根駄石１７の中心には納骨孔１７ａが形成されており、上面には納骨孔１７ａを囲むように突条３１が形成されている。そしてカロート１６の下面には溝３２が形成されており、溝３２に突条３１が嵌め込んである。
【００１４】
本発明は、上記の実施形態に限定されない。墓は構成部材の一部を欠くものでもよいし、さらに別の構成部材を有するものでもよい。また、この凸部および凹部による連結構造は、墓のほか、灯篭、石碑や石像など種々のものに適用され得る。さらに、切欠部および爪部は、それぞれ一箇所に形成してもよいし、三箇所以上に形成してもよい。また、その形状も長方形状に限られず、爪部と鍔部が係合するものであればどのような形状であってもよい。
【符号の説明】
【００１５】
１  凸部
２  凹部
３  首部
４  鍔部
５  切欠部
６  爪部
１１  上側の構成部材（竿石）
１１ａ  下面
１２  下側の構成部材（蓮華）
１２ａ  上面
【図１】
2011032813.tif 000003
【図２】
2011032813.tif 000004
【図３】
2011032813.tif 000005